(57)【要約】【課題】組み立てや修理の際の分解時の手間を軽減できる遊技機を提供する。【解決手段】第１電気基板４０が収納される第１収納部６１と、第２電気基板５０が収納される第２収納部６２とを有する基板ケース６０には、溝部７１が設けられている。溝部７１は、第１、第２収納部６１、６２の間を仕切るように、基板ケース６０の前面を基板ケース６０の内側ヘ向けて窪ますことによって形成され、第２収納部６２側の側壁７１ｂには貫通孔が設けられている。一方、第２電気基板５０には、突起７２が設けられている。突起７２は、第２電気基板５０が基板ケース６０に収納されると、溝部７１の開口部７１ｄを塞ぐように貫通孔から突出する。これら溝部７１と突起７２とが共同し、ハーネスを挿通するためのハーネス通路７０が構成される。【選択図】図６
2017127576.tif 000002
【特許請求の範囲】
【請求項１】
電気部品が収められた部品ケースを有する遊技機において、
前記部品ケースの外郭から前記部品ケースの内側ヘ向けて窪むように、開口部を前記部品ケースの外側へ向けた断面コ字形状に形成され、前記電気部品に接続されるハーネスが通される溝部と、
前記溝部の一方の側壁の少なくとも前記開口部側に設けられ、前記溝部を貫通する貫通孔と、
前記電気部品に設けられ、前記電気部品が前記部品ケースに収納された状態で前記貫通孔から前記溝部の他方の側壁ヘ向けて前記開口部を塞ぐように突出し、前記ハーネスが前記溝部から脱落することを防止するための突起と、
を備えたことを特徴とする遊技機。
【請求項２】
前記電気部品は、第１電気部品と、第２電気部品とからなり、
前記部品ケースには、前記第１電気部品を収納するための第１収納部と、前記第２電気部品を収納するための第２収納部とが連設され、
前記溝部は、前記第１収納部と前記第２収納部との間を前記溝部によって仕切るように前記部品ケースを窪ますことによって形成されていることを特徴とする請求項１記載の遊技機。
【請求項３】
前記貫通孔は、前記第１、第２収納部のいずれか一方を貫通するように設けられ、
前記突起は、前記貫通孔の設けられた収納部に収納される電気部品に設けられることを特徴とする請求項２記載の遊技機。
【請求項４】
前記電気部品は、板面を上方ヘ向けた状態で水平方向に並べて配置される第１電気基板と第２電気基板であり、
前記部品ケースは、前記電気基板が格納される基板ケースであり、
前記第１電気基板は、遊技の進行及び実行を制御するメイン制御基板と前記メイン制御基板に接続される各部との接続を中継するためのメイン中継基板であり、
前記第２電気基板は、演出の進行及び実行を制御するサブ制御基板と前記サブ制御基板に接続される各部との接続を中継するためのサブ中継基板であることを特徴とする請求項１〜３いずれか記載の遊技機。
【発明の詳細な説明】
【技術分野】
【０００１】
本発明は、パチンコ店などの遊技場に設置されるスロットマシンなどの遊技機に関するものである。
【背景技術】
【０００２】
パチンコ店などの遊技場に設置される遊技機としてスロットマシンが広く知られている。スロットマシンには、複数の電気部品が設けられ、スロットマシンの内部には、これら電気部品の各々から延びる配線（ハーネス）が配されている。スロットマシンには、非常に多くの電気部品が存在するため、これらから延びるハーネスの本数も多数となる。このため、スロットマシンでは、ハーネスがスロットマシンの内部で無秩序に散乱しないように様々な工夫が施されている。
【０００３】
このような工夫の１つとして、下記特許文献１には、電気基板が収納された基板ケースの表面に、開口部を基板ケースの外側へ向けた断面コ字形状の溝を設け、この溝に電気基板から延びるハーネスを挿通する構成が記載されている。また、下記特許文献１では、溝からハーネスが脱落することを防止するために、溝の開口部を覆うように別の部材を配置している。
【先行技術文献】
【特許文献】
【０００４】
【特許文献１】特許第４９５９２４７号公報
【発明の概要】
【発明が解決しようとする課題】
【０００５】
しかしながら、上記特許文献１では、溝を覆うための別部材を取り付けるため、組み立ての際に手間がかかってしまうだけでなく、修理の際の分解時にも別部材を取り外す必要があり、手間がかかってしまうといった問題があった。
【０００６】
本発明は、上記背景を鑑みてなされたものであり、組み立てや修理の際の分解時の手間を軽減できる遊技機を提供することを目的としている。
【課題を解決するための手段】
【０００７】
上記目的を達成するために、本発明の遊技機は、電気部品が収められた部品ケースを有する遊技機において、前記部品ケースの外郭から前記部品ケースの内側ヘ向けて窪むように、開口部を前記部品ケースの外側へ向けた断面コ字形状に形成され、前記電気部品に接続されるハーネスが通される溝部と、前記溝部の一方の側壁の少なくとも前記開口部側に設けられ、前記溝部を貫通する貫通孔と、前記電気部品に設けられ、前記電気部品が前記部品ケースに収納された状態で前記貫通孔から前記溝部の他方の側壁ヘ向けて前記開口部を塞ぐように突出し、前記ハーネスが前記溝部から脱落することを防止するための突起と、を備えたことを特徴としている。
【０００８】
前記電気部品は、第１電気部品と、第２電気部品とからなり、前記部品ケースには、前記第１電気部品を収納するための第１収納部と、前記第２電気部品を収納するための第２収納部とが連設され、前記溝部は、前記第１収納部と前記第２収納部との間を前記溝部によって仕切るように前記部品ケースを窪ますことによって形成されているものでもよい。
【０００９】
前記貫通孔は、前記第１、第２収納部のいずれか一方を貫通するように設けられ、前記突起は、前記貫通孔の設けられた収納部に収納される電気部品に設けられるものでもよい。
【００１０】
前記電気部品は、板面を上方ヘ向けた状態で水平方向に並べて配置される第１電気基板と第２電気基板であり、前記部品ケースは、前記電気基板が格納される基板ケースであり、前記第１電気基板は、遊技の進行及び実行を制御するメイン制御基板と前記メイン制御基板に接続される各部との接続を中継するためのメイン中継基板であり、前記第２電気基板は、演出の進行及び実行を制御するサブ制御基板と前記サブ制御基板に接続される各部との接続を中継するためのサブ中継基板であってもよい。
【発明の効果】
【００１１】
本発明では、部品ケースに、ハーネスを通すための溝部を設けるとともに、部品ケースに収納される電気部品に、電気部品が部品ケースに収納された際に溝部の側壁を貫通する貫通穴から溝部の開口を塞ぐ方向へ突出してハーネスが溝部から脱落することを防止するための突起を設けたので、部品ケースの外側から別部材（部品ケース外の部材）により溝部を塞ぐ場合と比較して、組み立てや修理の際の分解時の手間を軽減できる
【図面の簡単な説明】
【００１２】
【図１】前扉を閉じた状態のスロットマシンの外観図である。
【図２】前扉を開いた状態のスロットマシンの外観図である。
【図３】リールユニットの上方に中継基板ユニットが配置された様子を示す説明図である。
【図４】中継基板ユニットの外観図である。
【図５】中継基板ユニットの分解図である。
【図６】ハーネス通路を前方斜め上方から観察した様子を示す説明図である。
【図７】ハーネス通路を上方から観察した様子を示す説明図である。
【図８】溝部に突起を設けた場合と、溝部に突起を設けずに貫通孔のみを設けた場合との金型の違いを説明するための説明図である。
【発明を実施するための形態】
【００１３】
図１、図２に示すように、スロットマシン（遊技機）１０は、収納箱１１と、前面扉１２とを備え、これらから遊技機本体が構成されている。図２において、収納箱１１には、複数（本実施形態では３つ）のリールがユニット化されたリールユニット１３や、メダルの払い出しを行うホッパ装置１４などが収納されている。前面扉１２は、上扉１２ａと下扉１２ｂとに分割されており、これら上扉１２ａ及び下扉１２ｂはそれぞれ収納箱１１に軸着され、開閉自在に支持されている。
【００１４】
図１において、上扉１２ａには、その前面に、各種画像を表示する液晶ディスプレイ１５、及び、リールを視認させるための透明窓１６が設けられている。リールの外周面には複数種類の図柄が配列されており、リールが停止した状態では、透明窓１６を通して１つのリールにつき３個の図柄が表示される。
【００１５】
下扉１２ｂには、メダルを投入するメダル投入口２２、クレジットされたメダルをベットする際に操作されるベットボタン２３、遊技を開始する際に操作されるスタートレバー２４、回転しているリールを停止させるためのストップボタン２６ａ〜２６ｃ、ホッパ装置から払い出されたメダルを受けるメダル受け皿２７、クレジットされたメダルを清算するための清算ボタン２８が設けられている。
【００１６】
また、スロットマシン１０には、下扉１２ｂにも液晶ディスプレイ２９が設けられている。この液晶ディスプレイ２９は、液晶ディスプレイ１５と同様に各種画像を表示可能な他、画面全体を押し込むように操作することが可能となっており、表示手段としてだけでなく操作手段としても機能する。
【００１７】
スロットマシン１０では、メダル投入口２２にメダルを投入、または、ベットボタン２３操作することによりメダルがベットされるとスタートレバー２４が有効化され、有効化されたスタートレバー２４を操作すると遊技が開始される。遊技が開始されると、当選役抽選が実行されて複数種類の当選役のいずれかまたはハズレが決定されるとともにリールが回転を開始する。リールの回転速度が一定速度に到達して定常回転となるとストップボタン２６ａ〜２６ｃの操作が有効化され、有効化されたストップボタン２６ａ〜２６ｃを操作すると操作されたストップボタンに対応するリールを停止させることができる。そして、全てのリールが停止したときに、当選役抽選で決定された当選役に対応する図柄組合せが表示されると、この当選役が入賞となり、入賞した当選役に対応する処理（入賞処理）が実行される。
【００１８】
また、図３に示すように、スロットマシン１０の内部には、リールユニット１３の上方に、中継基板ユニット３０が配置されている。中継基板ユニット３０は、水平方向に長く形成され、リールユニット１３が取り付けられる支持フレーム３２に設けられた装着孔に背面側から差し込むように装着された後、支持フレーム３２にネジ止めされてリールユニット１３の上方のスペースに固定される。そして、このように支持フレーム３２に取り付けられた中継基板ユニット３０は、支持フレーム３２ごと収納箱１１に収納される。
【００１９】
図４、図５に示すように、中継基板ユニット３０は、板面を上方へ向けた第１、第２の２枚の電気基板（電気部品）４０、５０が左右（水平方向）に並べられて共通の基板ケース（部品ケース）６０内に収納されることにより、基板ケース６０と一体化されたものである。第１、第２電気基板４０、５０は、基板ケース６０の後端部に設けられた開口から基板ケース６０の前端側ヘ向けてスライドするように基板ケース６０に差し込まれて、基板ケース６０に収納される。
【００２０】
なお、本実施形態では、第１電気基板４０が、メイン中継基板（遊技の進行及び実行を制御するメイン制御基板と、メイン制御基板に接続されるスロットマシン１０の各部との接続を中継するための基板）であり、第２電気基板５０が、サブ中継基板（演出の進行を制御するサブ制御基板と、サブ制御基板に接続されるスロットマシン１０の各部との接続を中継するための基板）である例で説明を行う。
【００２１】
第１電気基板４０は、上面後端部に配置された後側コネクタ４１、及び、上面前側に配置された複数の前側コネクタ４２を備えている。
後側コネクタ４１は、中継基板ユニット３０が収納箱１１に納められる際に、収納箱１１に固定されたコネクタ（図示せず）に係合される。このコネクタは、複数の電気部品から延びるハーネス（図示せず）の端部を纏めたものである。
他方、前側コネクタ４２には、メイン制御基板から延びるハーネス（図示せず）の端部に設けられたコネクタ（図示せず）や、各電気部品から延びるハーネス（図示せず）の端部に設けられたコネクタ（図示せず）が係合される。
このように、コネクタ同士が係合されることで、第１電気基板４０が、メイン制御基板や、メイン制御基板により駆動制御される各電気部品と接続される。
【００２２】
また、第１電気基板４０には、前側コネクタ４２の設けられた上面前側にカバー４３が取り付けられている。カバー４３は、第１電気基板４０の上面前側を覆う板状の本体に、前側コネクタ４２を露呈させる開口が形成されたものであり、前側コネクタ４２の周辺に配された配線や端子を保護する機能を有している。
【００２３】
同様に、第２電気基板５０は、上面後端部に配置された後側コネクタ５１、及び、上面前側に配置された複数の前側コネクタ５２を備えている。
後側コネクタ５１は、中継基板ユニット３０が収納箱１１に納められる際に、収納箱１１に固定されたコネクタ（図示せず）に係合される。このコネクタは、複数の電気部品から延びるハーネス（図示せず）の端部を纏めたものである。
他方、前側コネクタ５２には、サブ制御基板から延びるハーネス（図示せず）の端部に設けられたコネクタ（図示せず）と、各電気部品から延びるハーネス（図示せず）の端部に設けられたコネクタ（図示せず）とのうちの少なくとも前者が係合される。
このように、コネクタ同士が係合されることで、第２電気基板５０が、サブ制御基板や、サブ制御基板により駆動制御される各電気部品と接続される。
【００２４】
また、第２電気基板５０には、前側コネクタ５２の設けられた上面前側にカバー５３が取り付けられている。カバー５３は、第２電気基板５０の上面前側を覆う板状の本体に前側コネクタ５２を露呈させる開口が形成されたものであり、前側コネクタ５２の周辺に配された配線や端子を保護する機能を有している。
【００２５】
基板ケース６０は、第１電気基板４０を収納するための第１収納部６１と、第２電気基板５０を収納するための第２収納部６２とを備え、これら第１収納部６１と第２収納部６２とが左右（水平方向）に連設されたものである。
【００２６】
第１収納部６１の上面（天井部分）前側には、開口が設けられ、第１収納部６１に第１電気基板４０が収納されると、この開口から第１電気基板４０の上面前側、すなわち、前側コネクタ４２が露呈される。このとき、前側コネクタ４２の周辺部分がカバー４３により覆われ、前側コネクタ４２の周辺に配された配線や端子が保護されているため、これらの破損や埃の付着などによる故障が防止される。
【００２７】
同様に、第２収納部６２の上面（天井部分）前側にも開口が設けられ、第２収納部６２に第２電気基板５０が収納されると、この開口から第２電気基板５０の上面前側、すなわち、前側コネクタ５２が露呈される。このとき、前側コネクタ５２の周辺部分がカバー５３により覆われ、前側コネクタ５２の周辺に配された配線や端子が保護されているため、これらの破損や埃の付着などによる故障が防止される。
【００２８】
また、図４、図５、並びに、ハーネス通路７０を、前方斜め上方から観察した図６、及び、ハーネス通路７０を上方から観察した図７に示すように、中継基板ユニット３０には、前側コネクタ４２、５２に接続される各機器から延びるハーネスを挿通するためのハーネス通路７０が設けられている。ハーネス通路７０は、基板ケース６０に設けられた溝部７１と、第２電気基板５０に設けられた突起７２とから構成され、本実施形態では、上下方向に延びるハーネスがハーネス通路７０に挿通される。
【００２９】
溝部７１は、基板ケース６０の前端部のうち、第１、第２収納部６１、６２の境界部分を、第１、第２収納部６１、６２の間を仕切るように後方（基板ケース６０の内側）へと窪ませたものである。溝部７１は、第１収納部６１側の側壁７１ａ（図６、図７参照）、第２収納部６２側の側壁７１ｂ、底面７１ｃからなる断面コ字形状に形成され、底面７１ｃと対向する開口部７１ｄを前方（基板ケース６０の外側）へと向けている。
【００３０】
また、溝部７１には、第２電気基板５０に設けられた突起７２を、溝部７１内に突出させるための貫通孔７３（図５、図６参照）が形成されている。貫通孔７３は、溝部７１の底面７１ｃから第２収納部６２側の側壁７１ｂに渡って、溝部７１の後端側から先端側へ向けて延びるように形成されている。
【００３１】
突起７２は、第２電気基板５０から第１電気基板４０側へ向けて延びるように、第２電気基板５０の先端側部に立設されている。なお、本実施形態では、第２電気基板５０のカバー５３に突起７２を設けている。この突起７２は、第２電気基板５０が基板ケース６０に収められると、貫通孔７３の先端部、すなわち、溝部７１の側壁７１ｂの先端部から反対側の側壁７１ａへ向けて突出し、開口部７１ｄを部分的に塞ぐことにより、溝部７１に通されたハーネスがハーネス通路７０（溝部７１）から脱落することを防止する機能を有する。
【００３２】
以上のように、スロットマシン１０では、基板ケース６０に収納される第２電気基板５０の突起７２により、溝部７１に通されたハーネスが溝部７１から脱落することを防止するようにしたので、中継基板ユニット３０とは別の部材を基板ケース６０に取り付けることにより溝部７１を塞いでハーネスの脱落を防止する場合と比較して、組み立てや分解が容易である（メンテナンス性が高い）。
【００３３】
また、本実施形態では、貫通孔７３が溝部７１の後端側から前端側へ向けて延びるように、溝部７１の底面７１ｃから側壁７１ｂに渡って形成されているので、第２電気基板５０を基板ケース６０に収納する過程で突起７２が基板ケース６０（溝部７１の底面７１ｃ）に突き当たることなく、第２電気基板５０をスムーズに基板ケース６０に収納できる。
【００３４】
さらに、本実施形態のように、１つの基板ケース６０に第１、第２の２枚の電気基板４０、５０を並べて配置している場合、第１、第２電気基板４０、５０の間が部材の配置されていないデットスペースとなるため、ここをハーネス通路７０とすることでスペース効率がよく、小型化に貢献できる。
【００３５】
特に、スロットマシンでは、複数のリールが左右（水平方向）に並べられた横長の（水平方向に長い）リールユニットを備えているため、このリールユニットの上または下に横長のスペースを確保することが比較的容易である。また、スロットマシンでは、遊技の進行及び実行を制御する制御系統と、演出の進行及び実行を制御する制御系統との２つの制御系統を備えており、これらの２種類の制御を行うための制御回路などが設けられた電気基板も２つ存在する。このため、本実施形態のように、１つの基板ケースに２枚の電気基板を水平方向に並べて配置した横長の基板ケースユニットをリールユニットの上または下に配置することはスロットマシンに好適であり多用されている。そして、本実施形態では、このようにスロットマシンに多用される構成において、２枚の電気基板間のデッドスペースを有効活用できるため、スロットマシンにおいて特に効果的である。
【００３６】
なお、中継基板ユニットとは別の部材を用いずに、溝部からハーネスの脱落を防止する方法としては、本発明のようにケース内の収納物に設けた突起をケースの溝部（貫通孔）から突出させる構成に代えて、ケース（溝部の側壁）に、直接、突起を設ける方法も考えられる。ただし、この方法では、製造上の問題からケースの強度が低下してしまう、または、製造の手間やコストが増大してしまうといった問題がある。
【００３７】
つまり、一般に、図８（ａ）に示すように、断面コ字形状の（溝部を有する）部材（部品ケース、基板ケース）１００を形成する場合、内側用金型１０１と外側用金型１０２との間に、樹脂などの材料を圧入して硬化させた後、内側用金型１０１を内側（図８の上方向）、外側用金型１０２を外側（図８の下方向）へ移動させて部材１００を取り出す。
【００３８】
一方、図８（ｂ）に示すように、部材１００に突起１０３を設ける場合、外側用金型１０２に突起１０３に対応する窪みを設けて突起１０３を形成しようとすると、外側用金型１０２から部材１００を取り外すことができない。よって、内側用と外側用との２つの金型により突起１０３を有する部材１００を形成する場合、突起１０３の内側部分については内側用金型１０１、外側部分については外側用金型１０２により形成する必要がある。
【００３９】
具体的には、図８（ｃ）または、同図（ｄ）に示すように、内側用金型１０１を突起１０３の内側部分まで延設する必要がある。この場合、溝部のうち、内側用金型１０１を延設した部分に対応する貫通孔が、完成した部材１００に残る。すなわち、同図（ｃ）の場合は、図６の貫通孔７３と同様に、溝部の底板から片側（突起１０３側）の側壁に渡る貫通孔が残り、同図（ｄ）の場合は、溝部の一方の側壁から底面を介して他方の側壁まで続く、図６の貫通孔７３よりも長い貫通孔が残る。このように、部材１００には貫通孔が残るものの、２つの金型で突起１０３を有する部材１００を形成すること自体は可能である。
【００４０】
しかし、図８（ｃ）の場合、外側用金型１０２のうち、溝部の内部まで到達する部分１０４の厚み（溝の幅方向の厚み）が薄く（強度が弱く）破損し易いといった問題がある。また、同図（ｄ）の場合、溝部７１の一方の側壁から他方の側壁へと繋がる長い貫通孔が製品（部材１００）に残ってしまうので、製品強度が不足してしまうといった問題がある。このような事情から、２つの金型で突起１０３を有する部材１００を形成することは現実的ではない。
【００４１】
なお、例えば、外側用金型を、突起の内側を形成する部分と、突起の外側を形成する部分との２つに分割可能な分割式の金型とすることによっても、図８（ｂ）〜（ｄ）のような突起１０３を有する部材１００を形成することが可能であるが、この場合、製造時の手間やコストが増大してしまうため現実的ではない。
【００４２】
これに対して、本発明のように、突起をケースの収納物に形成し、ケース（溝部）から突起と突出させる構成とする場合、突起１０３を部材１００に形成する必要がなく、図８（ｅ）に示すように、突起１０３を突出するための貫通孔に対応する部分だけ金型（図８（ｅ）の例では内側用金型１０１）を延設すればよい（図８（ｃ）や同図（ｄ）のように突起１０３の内側部分まで内側用金型１０１を延設する必要がない）。
【００４３】
これにより、図８（ｅ）の場合、同図（ｃ）の場合と比較して、外側用金型１０２のうち溝部の内部まで到達する部分１０４の厚みが厚く、外側用金型１０２の強度が高いので、外側用金型１０２の破損を防止できる。また、溝部の側壁の片方には貫通孔が存在しないので、同図（ｄ）の場合と比較して、製品強度が不足してしまうこともない。さらには、２つの金型で製造可能なため、例えば、２つの金型の一方を分割式とするなど、３つ以上の金型を用いて、突起１０３を有する部材１００を形成する場合と比較して、製造時の手間やコストを軽減できる。
【００４４】
なお、本発明は、ケースに設けた溝部と、ケースの収納物に設けられ、溝部の貫通孔から突出する突起とが共同してハーネス通路を構成すればよいので、細部の構成については上記実施形態に限定されず適宜変更できる。
【００４５】
例えば、上記実施形態では、メイン中継基板とサブ中継基板とが基板ケースに収納された中継基板ユニットに本発明を適用する例で説明をしたが、中継基板以外の電子基板を収納する基板ユニットに対して本発明を適用してもよい。
【００４６】
また、上記実施形態では、２枚の電子基板が基板ケース内に収納された基板ユニットに対して本発明を適用する例で説明をしたが、１枚または３枚以上の電子基板が基板ケース内に収納された基板ユニットに対して本発明を適用してもよい。
【００４７】
さらに、上記実施形態では、電子基板を水平方向に並べて収納した基板ユニットに対して本発明を適用する例で説明をしたが、基板ケース内に収納される電子基板各々の配置角度や配列方向は自由に設定できる。
【００４８】
また、上記実施形態では、電子基板と基板ケースとからなる基板ユニットに対して本発明を適用する例で説明をしたが、電子基板以外の部品とこの部品を収納するケースとからなるユニットに対して本発明を適用してもよい。
【００４９】
さらに、ハーネス通路の位置や幅、長さや角度については自由に設定できるので、ケース内に収納される収納物の収納状態（収納位置や向き、デッドスペースの状態）や、ケース近傍に配されたハーネスの状態（位置や本数、向き）などを考慮して適宜設定すればよい。もちろん、ハーネス通路は直線状であることに限定されず、全体または部分的に湾曲した形状であってもよい。
【００５０】
また、上記実施形態では、溝部の底面から一方の側壁に渡る前後に長い貫通孔を形成する例で説明をしたが、本発明はこれに限定されない。貫通孔は、突起を溝部内に突出させるためのものであるため、貫通穴を、突起に対応する部分にのみ（底面には設けずに、一方の側壁にのみ）設けてもよい。
【００５１】
さらに、上記実施形態では、遊技機としてスロットマシンに本発明を適用する例で説明をしたが、パチンコ機など、スロットマシン以外の遊技機に対して本発明を適用してもよい。
【符号の説明】
【００５２】
１０  スロットマシン（遊技機）
１１  収納箱
１２  前面扉
１３  リールユニット
１６  透明窓
２４  スタートレバー
２６ａ〜２６ｃ  ストップボタン
３０  中継基板ユニット
４０  第１電気基板（電気部品）
５０  第２電気基板（電気部品）
６０  基板ケース（部品ケース）
６１  第１収納部
６２  第２収納部
７０  ハーネス通路
７１  溝部
７１ａ、７１ｂ  側壁
７１ｃ  底面
７１ｄ  開口部
７２  突起
７３  貫通孔
【図１】
2017127576.tif 000003
【図２】
2017127576.tif 000004
【図３】
2017127576.tif 000005
【図４】
2017127576.tif 000006
【図５】
2017127576.tif 000007
【図６】
2017127576.tif 000008
【図７】
2017127576.tif 000009
【図８】
2017127576.tif 000010